(57)【特許請求の範囲】
【請求項１】
ＷＤＭの光通信を行う光通信システムにおいて、
受信した光信号の各波長に対する符号誤り率を測定する符号誤り率測定手段と、前記符号誤り率の情報を送信側へ伝送する符号誤り率伝送手段と、から構成される光受信装置と、
光信号の各波長に、サービス品質クラスの高い高品質クラス通信、またはサービス品質クラスの低い低品質クラス通信の少なくとも一方のサービスを設定するサービス設定手段と、前記符号誤り率にもとづいて、前記高品質クラス通信が、符号誤り率が大きい伝送品質の波長である低品質波長で伝送されている状態を認識した際には、前記高品質クラス通信のサービス数が、符号誤り率が小さい伝送品質の波長である高品質波長で伝送されている前記低品質クラス通信のサービス数を超えない場合に、前記低品質波長と前記高品質波長とを切り替えて、サービスの割り当てを変更するサービス割り当て変更手段と、波長多重を行って前記光信号を送信する光信号送信手段と、から構成される光送信装置と、
を有することを特徴とする光通信システム。
【請求項２】
前記サービス設定手段は、前記高品質クラス通信に帯域保証型の通信サービスを設定し、前記低品質クラス通信にベストエフォート型の通信サービスを設定することを特徴とする請求項１記載の光通信システム。
【請求項３】
最適なサービス割り当ての変更が行えない場合、または符号誤り率を所定の値にする場合に、前記低品質波長または全波長に対して、光パワーの増幅を行う光パワー制御手段をさらに有することを特徴とする請求項１記載の光通信システム。
【請求項４】
前記光パワー制御手段は、外部取り付け可能であることを特徴とする請求項３記載の光通信システム。
【請求項５】
前記サービス設定手段によるサービスの設定制御及び前記サービス割り当て変更手段によるサービス割り当ての変更制御を、保守端末から外部設定することを特徴とする請求項１記載の光通信システム。
【請求項６】
ＷＤＭの光信号を送信する光送信装置において、
光信号の各波長に、サービス品質クラスの高い高品質クラス通信、またはサービス品質クラスの低い低品質クラス通信の少なくとも一方のサービスを設定するサービス設定手段と、
符号誤り率にもとづいて、前記高品質クラス通信が、符号誤り率が大きい伝送品質の波長である低品質波長で伝送されている状態を認識した際には、前記高品質クラス通信のサービス数が、符号誤り率が小さい伝送品質の波長である高品質波長で伝送されている前記低品質クラス通信のサービス数を超えない場合に、前記低品質波長と前記高品質波長とを切り替えて、サービスの割り当てを変更するサービス割り当て変更手段と、
波長多重を行って前記光信号を送信する光信号送信手段と、
を有することを特徴とする光送信装置。
【請求項７】
前記サービス設定手段は、前記高品質クラス通信に帯域保証型の通信サービスを設定し、前記低品質クラス通信にベストエフォート型の通信サービスを設定することを特徴とする請求項６記載の光送信装置。
【請求項８】
最適なサービス割り当ての変更が行えない場合、または符号誤り率を所定の値にする場合に、前記低品質波長または全波長に対して、光パワーの増幅を行う光パワー制御手段をさらに有することを特徴とする請求項６記載の光送信装置。
【請求項９】
前記光パワー制御手段は、外部取り付け可能であることを特徴とする請求項８記載の光送信装置。
【請求項１０】
前記サービス設定手段によるサービスの設定制御及び前記サービス割り当て変更手段によるサービス割り当ての変更制御を、保守端末から外部設定することを特徴とする請求項６記載の光送信装置。
【発明の詳細な説明】
技術分野
本発明は光通信システムに関し、特にＷＤＭ（Wavelength Division Multiplex）の光通信を行う光通信システムに関する。
背景技術
近年、インターネット等の通信サービスの拡大に伴い、ＡＴＭ(Asynchronous Transfer Mode)ネットワークの開発が急速に進んでいる。ＡＴＭは、高速・広帯域に加え、サービス品質であるＱＯＳ(Quality Of Service)を保証できるので、マルチメディア通信に適している。
また、伝送技術としては、波長の異なる光を多重して、１本の光ファイバで複数の信号を同時に伝送するＷＤＭ技術が広く採用されている。
このような、ＷＤＭの光伝送を行って、ＡＴＭ通信サービスを行うＡＴＭネットワークは、マルチメディア通信を担うものとして一層のサービスの高度化、高品質化が望まれている。
一方、ＷＤＭでは、伝送路に光中継アンプを多段に設けて、長距離・大容量伝送を行っている。この場合、光伝送の特性上、光中継アンプの波長不平坦性や伝送路の非線形効果等によって、伝送する光信号のＳ／Ｎ（信号対雑音比）が劣化する。従来では、光Ｓ／Ｎを均一にするために、光プリエンファシス制御を行っている。
従来の光プリエンファシス制御は、まず、光中継アンプで多段中継されて送られてきた光信号の符号誤り率（ＢＥＲ：ビット・エラーレート）を測定する。そして、送信局では、この測定結果にもとづいて、ＢＥＲが所定の値になるように、光信号のパワーのレベルを上げて、ＷＤＭ送信を実行する。
具体的には、ＷＤＭ伝送するすべての波長に対して、ＢＥＲが、通常は１０Ｅ−１５（＝１０-15）以下となるように、光パワーをコントロールしている。
しかし、上記のような伝送品質を保証するための従来の光プリエンファシス制御では、ＡＴＭのサービスメニューとは無関係に実行されているため、ネットワークコストが増大してしまい、経済的でないといった問題があった。
ここで、ＡＴＭネットワークによる顧客へのサービスメニューは、ＱＯＳによって、サービス提供の種類を有している。現行のＡＴＭの主要なサービスメニューとしては、ＵＢＲ（Unspecified Bit Rate）とＣＢＲ（Continuous Bit Rate）がある。ＵＢＲは、帯域が空いていたらセルを通すというベストエフォート型のサービスである。ＣＢＲは、帯域を保証して、専用線のように使えるサービスである。
ＵＢＲは、ＬＡＮトラフィックを想定したサービスであるため、データが欠落した時などには、端末側でＴＣＰ／ＩＰなどのリトライ制御が実行されることになる。したがって、ＵＢＲの伝送品質は、１０Ｅ−１５である必要はなく、例えば、１０Ｅ−１１（＝１０-11）程度の伝送品質で通信を行ったとしても問題はない。
ところが、従来の技術では、サービスメニューとは関係なく全波長に対して（すなわち、ＵＢＲ、ＣＢＲ共に）、光プリエンファシス制御を施して光パワーを増幅しているので、やや過剰的な機能になっており、このため消費電力の増加やネットワークコストが増大してしまい、経済的なＡＴＭネットワークが構築されていなかった。
発明の開示
本発明はこのような点に鑑みてなされたものであり、サービスメニューに柔軟に対応して、ＷＤＭ伝送を効率よく行う光通信システムを提供することを目的とする。
本発明では上記課題を解決するために、図１に示すような、ＷＤＭの光通信を行う光通信システム１において、受信した光信号の各波長に対する符号誤り率を測定する符号誤り率測定手段２１と、符号誤り率の情報を送信側へ伝送する符号誤り率伝送手段２２と、から構成される光受信装置２０と、光信号の各波長に、サービス品質クラスの高い高品質クラス通信、またはサービス品質クラスの低い低品質クラス通信の少なくとも一方のサービスを設定するサービス設定手段１１と、符号誤り率にもとづいて、高品質クラス通信が、符号誤り率が大きい伝送品質の波長である低品質波長で伝送されている状態を認識した際には、高品質クラス通信のサービス数が、符号誤り率が小さい伝送品質の波長である高品質波長で伝送されている低品質クラス通信のサービス数を超えない場合に、低品質波長と高品質波長とを切り替えて、サービスの割り当てを変更するサービス割り当て変更手段１２と、波長多重を行って光信号を送信する光信号送信手段１４と、から構成される光送信装置１０と、を有することを特徴とする光通信システム１が提供される。
ここで、符号誤り率測定手段２１は、受信した光信号の各波長に対する符号誤り率を測定する。符号誤り率伝送手段２２は、符号誤り率の情報を送信側へ伝送する。サービス設定手段１１は、光信号の各波長に、サービス品質クラスの高い高品質クラス通信、またはサービス品質クラスの低い低品質クラス通信の少なくとも一方のサービスを設定する。サービス割り当て変更手段１２は、符号誤り率にもとづいて、高品質クラス通信が、符号誤り率が大きい伝送品質の波長である低品質波長で伝送されている状態を認識した際には、高品質クラス通信のサービス数が、符号誤り率が小さい伝送品質の波長である高品質波長で伝送されている低品質クラス通信のサービス数を超えない場合に、低品質波長と高品質波長とを切り替えて、サービスの割り当てを変更する。光信号送信手段１４は、波長多重を行って光信号を送信する。
本発明の上記および他の目的、特徴および利点は本発明の例として好ましい実施の形態を表す添付の図面と関連した以下の説明により明らかになるであろう。
発明を実施するための最良の形態
以下、本発明の実施の形態を図面を参照して説明する。図１は本発明の光通信システムの原理図である。光通信システム１は、光送信装置１０と光受信装置２０から構成され、ＷＤＭの光通信を行う。光送信装置１０と光受信装置２０は、自回線と対回線の光ファイバケーブルで接続し、光ファイバケーブルには、光信号を増幅して中継する光中継アンプ（インラインアンプ）Ａ１〜Ａｍが設置される。
光受信装置２０に対し、符号誤り率測定手段２１は、受信したＷＤＭ光信号の各波長λ１〜λｎに対して、符号誤り率であるＢＥＲ（全符号の個数とその間に誤って受信された符号の個数の割合）を測定する。
ここで、光送信装置１０からの光信号は、光中継アンプＡ１〜Ａｍの波長不平坦性や光ファイバケーブルの非線形効果等によってＳ／Ｎが劣化する。符号誤り率測定手段２１は、Ｓ／Ｎ劣化に伴って増加するＢＥＲを、λ１〜λｎそれぞれに対して測定することで、各波長の伝送品質を検出する。
符号誤り率伝送手段２２は、ＷＤＭで用いられるＯＳＣ（Optical Supervisory Channel）と呼ばれる光の監視信号に、ＢＥＲの情報を挿入して、光送信装置１０へ伝送する。
光送信装置１０に対し、サービス設定手段１１は、光信号の各波長に、サービス品質（ＱＯＳ）クラスの高い高品質クラス通信、またはサービス品質クラスの低い低品質クラス通信の少なくとも一方のサービスを設定する。
サービス割り当て変更手段１２は、光受信装置２０から送信されたＢＥＲの情報にもとづいて、必要な場合にサービス割り当ての変更を行う。ここで、ＢＥＲ情報により、高品質クラス通信が、低品質波長で伝送されている状態を認識したとする。
この場合、高品質クラス通信のサービス数が、高品質波長で伝送されている低品質クラス通信のサービス数を超えない時には、低品質波長と高品質波長とを切り替えて、サービスの割り当てを変更する。
高品質波長とは、ＢＥＲが小さい（Ｓ／Ｎ劣化が小さい）伝送品質の波長のことであり、低品質波長とは、ＢＥＲが大きい伝送品質の波長のことである。ただし、低品質波長のＢＥＲは、高品質波長よりもＳ／Ｎ劣化が大きく、ＱＯＳクラスの高い通信には不向きだが、ＱＯＳクラスの低い通信を提供するには十分な値のＢＥＲである。
光パワー制御手段１３は、サービス割り当て変更手段１２による最適なサービス割り当ての変更が行えない場合、またはＢＥＲを所定の値にしたい場合には、低品質波長または全波長に対して光パワーを増幅して、光プリエンファシス制御を行う（光パワーを増幅することでＢＥＲを改善することが可能である）。なお、光パワー制御手段１３は、ユーザによる外部取り付けが可能である。
光信号送信手段１４は、サービス設定手段１１によって各波長にサービスが設定された後の波長、またはサービス割り当て変更手段１２によってサービス割り当ての変更が実行された後の波長、さらに光パワー増幅後の波長に対して、波長多重制御を行って、ＷＤＭの光信号を送信する。
次に図１、図２を用いて動作について説明する。図２は光通信システム１の動作を示すフローチャートである。
〔Ｓ１〕サービス設定手段１１は、λ１に高品質クラス通信を設定し、λ２〜λｎに低品質クラス通信を設定したとする。
〔Ｓ２〕光信号送信手段１４は、サービスが設定された波長λ１〜λｎの波長多重制御を行い、ＷＤＭの光信号を送信する。
〔Ｓ３〕符号誤り率測定手段２１は、ＷＤＭ光信号を受信すると、各波長のＢＥＲを測定する。ここでは、λ１のＢＥＲが大きいものと測定されたとして、λ１を低品質波長、λ２〜λｎを高品質波長とする。
〔Ｓ４〕符号誤り率伝送手段２２は、測定結果をＯＳＣ信号に挿入して、光送信装置１０へ伝送する。
〔Ｓ５〕サービス割り当て変更手段１２は、ＢＥＲ情報にもとづいて、高品質クラス通信が、低品質波長λ１で伝送されている状態を認識する。
〔Ｓ６〕サービス割り当て変更手段１２は、高品質クラス通信のサービス数ＳＨと、高品質波長λ２〜λｎで伝送されている低品質クラス通信のサービス数ＳＬとを比較する。そして、高品質クラス通信のサービス数ＳＨが低品質クラス通信のサービス数ＳＬを超えない時（ＳＨ≦ＳＬ）はステップＳ７へ行き、超える時（ＳＨ＞ＳＬ）はステップＳ８へ行く。
〔Ｓ７〕サービス割り当て変更手段１２は、高品質波長λ２〜λｎの中の例えばλ２と低品質波長λ１とを切り替えて、高品質波長λ２に高品質クラス通信を割り当て、低品質波長λ１に低品質クラス通信を割り当てる。このようにして、サービスの割り当てを変更する。
〔Ｓ８〕高品質クラス通信のサービス数ＳＨが、低品質クラス通信のサービス数ＳＬを超える場合には、最適なサービスの割り当て変更はできない。この場合には（または所定のＢＥＲにしたい場合には）、光パワー制御手段１３は、低品質波長λ１のみ、または全波長に対して光パワーを増幅して、ＢＥＲを満たすようにする。
〔Ｓ９〕光信号送信手段１４は、サービス割り当てが変更された、または光パワー増幅後の波長λ１〜λｎに対して波長多重制御を行い、ＷＤＭの光信号を送信する。
次にＷＤＭの光伝送を行ってＡＴＭ通信サービスを行うシステムに、本発明の光通信システム１を適用した場合について詳しく説明する。図３はＷＤＭ装置の構成を示す図である。ＷＤＭ装置１００は、ＡＴＭインタフェースを収容してＷＤＭ伝送を行う装置であり、光送信装置１０に対応する。なお、光受信装置２０に対応する受信側のＷＤＭ装置の構成説明は省略し、以降では本発明に関連する制御部分を中心に説明する。
ＷＤＭ装置１００は、ＡＴＭの入力回線であるＡＴＭ通信ラインＬ１〜Ｌｎと接続する（出力回線側は図中省略する）。加入者インタフェース部１０１−１〜１０１−ｎは、ＡＴＭ通信ラインＬ１〜Ｌｎから入力されるセルのインタフェース処理を行う。ここで、ＡＴＭ通信ラインＬ１、Ｌ２を通じて高品質クラス通信であるＣＢＲ（帯域保証型）のセルを受信し、ＡＴＭ通信ラインＬ３〜Ｌｎを通じて低品質クラス通信であるＵＢＲ（ベストエフォート型）のセルを受信するものとする。
加入者インタフェース部１０１−１〜１０１−ｎは、終端部１０１ａ、ＵＰＣ（User Parameter Control）部１０１ｂ、シェーパ（Shaper）部１０１ｃから構成される。終端部１０１ａは、セルの受信処理を行う。ＵＰＣ部１０１ｂは、過剰なトラフィックが入ることを禁止し、輻輳を防ぐ制御を行う。シェーパ部１０１ｃは、セルの帯域制限処理を行い、セル間隔を一定にするシェーパ制御を行う。
波長設定部１０２−１〜１０２−ｎは、ＡＴＭ通信ラインＬ１〜Ｌｎの各ライン毎に配置され、電気／光変換を行って、各ラインの受信セルを光信号に変換する。また、この場合、後段のＷＤＭ伝送（例えば、１５５０ｎｍ波長帯付近における高密度ＷＤＭ伝送）を行うために、各ライン毎に異なる波長を割り付ける。波長設定部１０２−１〜１０２−ｎは、最初、ＡＴＭ通信ラインＬ１〜Ｌｎそれぞれに対してλ１〜λｎを割り付けたとする。
光波長多重部１０５は（光パワー調整部１０４については後述する）、波長設定部１０２−１〜１０２−ｎから出力されるλ１〜λｎの光信号の波長多重制御を行って、ＷＤＭ光信号を生成する。光送信増幅部１０６は、ＷＤＭ光信号を増幅し、光ファイバケーブル上に送信する。
一方、受信側のＷＤＭ装置では、ＷＤＭ光信号を受信すると、各波長のＢＥＲを測定する。ここでは、λ１、λ２のＢＥＲが１０Ｅ−１１、λ３〜λｎのＢＥＲが１０Ｅ−１５と測定されたとする。また、この測定結果は、ＯＳＣ信号に乗せてＷＤＭ装置１００へ送られる。
光受信増幅部１０７は、受信側のＷＤＭ装置からのＯＳＣ信号を受信する。最適波長選択処理部１０８は、ＯＳＣ信号から、ＢＥＲ情報を抽出する。そして、ＣＢＲの通信が１０Ｅ−１１の伝送品質で伝送されており、ＵＢＲの通信が１０Ｅ−１５の伝送品質で伝送されている状態を認識する。ここで、ＣＢＲは、１０Ｅ−１５の伝送品質は必要であり、ＵＢＲは１０Ｅ−１１でも十分に提供可能である。したがって、以下のようなサービス割り当ての変更を行う。
最適波長選択処理部１０８は、ＣＢＲのサービス数ＳＨと、高品質波長λ２〜λｎで伝送されているＵＢＲのサービス数ＳＬとを比較する。ここでは、ＣＢＲのサービス数ＳＨが、ＵＢＲのサービス数ＳＬを超えていない。したがって、低品質波長λ１を高品質波長λ３へ切り替えるための切り替え指示信号ＳＥＬ１を波長設定部１０２−１へ送信し、低品質波長λ２を高品質波長λ４へ切り替えるための切り替え指示信号ＳＥＬ２を波長設定部１０２−２へ送信する。
また、高品質波長λ３を低品質波長λ１へ切り替えるための切り替え指示信号ＳＥＬ３を波長設定部１０２−３へ送信し、高品質波長λ４を低品質波長λ２へ切り替えるための切り替え指示信号ＳＥＬ４を波長設定部１０２−４へ送信する。
波長設定部１０２−１は、λ１をλ３に切り替え（ＡＴＭ通信ラインＬ１のＣＢＲに高品質波長λ３が割り当てられる）、波長設定部１０２−２は、λ２をλ４に切り替える（ＡＴＭ通信ラインＬ２のＣＢＲに高品質波長λ４が割り当てられる）。
また、波長設定部１０２−３は、λ３をλ１に切り替え（ＡＴＭ通信ラインＬ３のＵＢＲに低品質波長λ１が割り当てられる）、波長設定部１０２−４は、λ４をλ２に切り替える（ＡＴＭ通信ラインＬ４のＵＢＲに低品質波長λ２が割り当てられる）。その後は波長多重、増幅されて送信される。
図４〜図６は光信号の伝送品質の状態を示す図である。縦軸に光パワー、横軸に波長をとる。図４は初期の状態を示しており、図５は従来の光プリエンファシス制御後の状態を示しており、図６は本発明のサービス割り当て変更後の状態を示している。
各波長に対する光信号は、ノイズ部分であるＡＳＥ(Amplified Spontaneous Emission：自然放射雑音)と信号光成分とからなる。λ１、λ２は、λ３〜λｎに比較して、Ｓ／Ｎが劣化している。λ１、λ２のＢＥＲが１０Ｅ−１１、λ３〜λｎのＢＥＲが１０Ｅ−１５である。
従来では図５のように、各波長に対して割り当てられているサービスとは無関係に、すべての波長が一定レベル以上の品質になるように光パワーを調整する光プリエンファシス制御を行っていた。このため、ネットワークコストが増大し経済的ではなかった。
一方、図６に示す本発明では、各波長に対して設定されたサービスの割り当てを変更して、効率のよいＷＤＭ伝送を行う。すなわち、ＵＢＲは１０Ｅ−１１でも十分に提供可能である。したがって、ここでは、λ１、λ２のＣＢＲに対し、λ３〜λｎの中にＵＢＲのサービス数が２以上あるので、例えば、λ１とλ３とを互いに切り替え、λ２とλ４を互いに切り替えることで、光増幅をせずにＷＤＭ伝送を行う。このように、本発明では、波長を切り替えてサービスの割り当てを変更することで、ネットワークコストや消費電力の低減を図ることができ、経済的なネットワークを構築することが可能になる。
次に光パワー調整部１０４について説明する。光パワー調整部１０４は、光パワー制御手段１３に対応し、ユーザによって取り付けが任意に行える。この光パワー調整部１０４を取り付ける必要があるときは、全波長について一定の伝送品質をＥＯＬ（End Of Life）保証したい場合などに取り付ける。
または、最適なサービス割り当て変更制御が行えない場合に取り付けられる。例えば、初期の状態でλ１〜λ５の波長に対して、λ１〜λ３にはＣＢＲ、λ４、λ５にはＵＢＲを割り当てたとする。そして、ＢＥＲの測定後、λ１〜λ３が低品質波長で、λ４、λ５が高品質波長であったような場合、低品質波長のＣＢＲのサービス数がＵＢＲのサービス数を超えているので、最適なサービス割り当て変更はできない。このような場合には、光パワー調整部１０４を取り付けて、光パワーを調整して、所定のＢＥＲを満たすようにする。光パワー調整部１０４としては、例えばＶＡＴ（variable attenuator）盤等を用いて光パワーの調整制御を行うことができる。
このように、従来固定的に設置されていた光パワー調整部１０４が、本発明により取り付け任意の装置とすることができるので、ユーザに対する購入・保守を効率よく行うことができ、利便性の向上を図ることが可能になる。
図７は光パワー調整部１０４の光パワー制御の概念を示す図である。１つの構成例として、光パワー調整部１０４は、コイルが巻かれた磁界発生器１０４ａと、ファラデー回転子１０４ｂから構成される。動作としては、まず、電流をコイルに流して磁界を発生させ、ファラデー回転子１０４ｂに与える。すると、ファラデー回転子１０４ｂは、磁界により、偏波量が変化する。これに表示されていない偏光子、検光子を組み合わせることにより、ファラデー回転子１０４ｂを通過する光パワー量を制御することができる。
次にサービス設定手段１１によるサービスの設定制御及びサービス割り当て変更手段１２によるサービス割り当ての変更制御を、保守端末から実行する場合について説明する。
図８は保守端末が接続された光送信側のシステムの構成を示す図である。図３で上述したＷＤＭ装置１００は１台でＡＴＭ制御機能及びＷＤＭ制御機能の２つの機能を有していたが、図に示すシステムの場合は、これらの機能が分かれている。ＡＴＭ制御装置３０−１〜３０−ｎは、ＷＤＭ制御装置４０と接続し、保守端末５０は、ＷＤＭ制御装置４０と接続する（保守端末５０が、ＡＴＭ制御装置３０−１〜３０−ｎ及びＷＤＭ制御装置４０とバス接続する構成でもよい）。
次に動作について説明する。保守端末５０は、ＷＤＭ制御装置４０を通じて、ＡＴＭ制御装置３０−１〜３０−ｎそれぞれに対して、ＱＯＳを設定する。図では、ＡＴＭ制御装置３０−１がＣＢＲ通信を、ＡＴＭ制御装置３０−２〜３０−ｎがＵＢＲ通信を行うように設定している。
ＷＤＭ制御装置４０は、ＡＴＭ制御装置３０−１〜３０−ｎから送信されたセルデータをそれぞれ異なる波長の光信号に変換し、波長多重制御を行って、ＷＤＭ光信号を送信する。
また、ＷＤＭ制御装置４０は、受信側のＷＤＭ制御装置から送られたＯＳＣ信号からＢＥＲ情報を抽出する。そして、このＢＥＲ情報は保守端末５０へ送信される。オペレータは、保守端末５０を通じて各波長の伝送品質を監視しており、ＢＥＲ情報にもとづいて、サービス割り当て変更制御を行う場合には、保守端末５０を通じてＷＤＭ制御装置４０に設定する。また、最適なサービス割り当てが不可能と判断した場合には、光パワー調整部をＷＤＭ制御装置４０に取り付け、光パワーの増幅制御を行う。
このような構成にすることで、保守端末５０から伝送品質の状態を知ることができ、ＱＯＳの設定やサービス割り当て変更制御等を外部から設定することができるので、保守性及び利便性の向上を図ることが可能になる（図３で示したＷＤＭ装置１００に保守端末５０を接続して上記のような制御を行ってもよい）。
以上説明したように、本発明の光通信システム１は、ＱＯＳの情報とＷＤＭ伝送路の着信光Ｓ／Ｎ情報とから、最適な波長を選択し、かつ所定のエラーレートがほしいときのみ、ＶＡＴ盤のような光パワー調整部を使用する構成にした。これにより、通信サービスに柔軟に対応した伝送品質で、ＷＤＭの光伝送を効率よく行うことができ、経済的なネットワークを構築することが可能になる。
なお、上記の説明では、ＱＯＳの種類として、ＣＢＲ、ＵＢＲを中心に説明したが、これ以外のＱＯＳのクラスに対しても、サービス割り当ての変更制御を柔軟に行うことが可能である。
以上説明したように、本発明の光通信システムは、符号誤り率にもとづいて、高品質クラス通信が低品質波長で伝送されている状態を認識した際には、高品質クラス通信のサービス数が、高品質波長で伝送されている低品質クラス通信のサービス数を超えない場合に、低品質波長と高品質波長とを切り替えて、サービスの割り当てを変更する構成とした。これにより、通信サービスに柔軟に対応した伝送品質で、ＷＤＭの光伝送を効率よく行うことができ、経済的なネットワークを構築することが可能になる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【図面の簡単な説明】
図１は、本発明の光通信システムの原理図である。
図２は、光通信システムの動作を示すフローチャートである。
図３は、ＷＤＭ装置の構成を示す図である。
図４は、光信号の伝送品質の状態を示す図である。
図５は、光信号の伝送品質の状態を示す図である。
図６は、光信号の伝送品質の状態を示す図である。
図７は、光パワー調整部の光パワー制御の概念を示す図である。
図８は、保守端末が接続された光送信側のシステムの構成を示す図である。
【図１】
0003833655.tif 000002
【図２】
0003833655.tif 000003
【図３】
0003833655.tif 000004
【図４】
0003833655.tif 000005
【図５】
0003833655.tif 000006
【図６】
0003833655.tif 000007
【図７】
0003833655.tif 000008
【図８】
0003833655.tif 000009